(57)【要約】【課題】少なくとも１つの制御可能な装置部分と音声制御手段とを有する、改良された装置を提供すること。【解決手段】少なくとも１つの制御可能な装置部分（２， ３， ４， ５）を有し、かつ、少なくとも１つの装置部分（２， ３， ４， ５）を音声作動式に制御するように設計されている音声制御手段（９）を有する装置（１）の場合において、音声制御手段（９）の機能をテストするように設計されているテスト手段（１５）が設けられている。【選択図】図１
2004521392.tif 000002
【特許請求の範囲】
【請求項１】
少なくとも１つの制御可能な装置部分を有する装置であって、当該装置が、前記少なくとも１つの装置部分を音声作動式に制御するように設計されている音声制御手段を有する、装置において、前記音声制御手段の機能をテストするように設計されているテスト手段が設けられていることを特徴とする、装置。
【請求項２】
前記音声制御手段が、
音響信号を受信し、かつ、前記受信された音響信号の中に少なくとも１つの音声制御命令が認識可能である場合に、前記認識可能な音声制御命令に対応する音声制御命令データを生成しかつ出力するように設計されている、音声入力手段
を有し、かつ、
前記音声制御手段が、
少なくとも１つの装置部分を制御するために、前記音声制御命令データを処理し、かつ前記音声制御命令データに対応する制御データを生成しかつ出力するように設計されている音声制御命令処理手段
を有する、請求項１に記載の装置において、
前記テスト手段が、前記音声入力手段の前記機能をテストするおよび／または前記音声制御命令処理手段の前記機能をテストするように設計されていることを特徴とする、装置。
【請求項３】
前記音声入力手段を非アクティブにできることと、前記テスト手段が、前記音声入力手段を非アクティブにするように設計されていることとを特徴とする、請求項２に記載の装置。
【請求項４】
前記音声制御命令処理手段を非アクティブにできることと、前記テスト手段が、前記音声制御命令処理手段を非アクティブにするように設計されていることとを特徴とする、請求項２に記載の装置。
【請求項５】
テスト信号を、前記テスト手段によって前記音声制御手段に送ることができることを特徴とする、請求項１に記載の装置。
【請求項６】
前記テスト手段が、前記テスト信号を自立的に生成するように設計されていることを特徴とする、請求項５に記載の装置。
【請求項７】
前記テスト手段が、少なくとも１つの装置部分を制御するように設計されていることを特徴とする、請求項５に記載の装置。
【請求項８】
前記テスト信号を、前記少なくとも１つの装置部分の制御の結果として前記テスト手段によって前記音声制御手段に送ることができることを特徴とする、請求項７に記載の装置。
【請求項９】
前記少なくとも１つの装置部分が、光学的、磁気的、または電気的に読み取り可能なメモリ手段にアクセスするように設計されていて、前記メモリ手段に格納されるデータの少なくとも一部が、前記テスト信号を表すことを特徴とする、請求項８に記載の装置。
【請求項１０】
出力音響信号が、前記テスト信号を形成する、請求項５に記載の装置。
【請求項１１】
前記少なくとも１つの装置部分が、データを受信するように設計されていて、前記受信データの少なくとも一部が、前記テスト信号を表すことを特徴とする、請求項８に記載の装置。
【請求項１２】
前記テスト手段が、結果データを受信するように設計されていて、当該結果データを、前記テスト手段によって前記音声制御手段に送ることができる前記テスト信号に応答して前記音声制御手段によって生成できることと、
前記テスト手段が、前記結果データを表すテスト結果情報を生成するように設計されていること
を特徴とする、請求項１に記載の装置。
【請求項１３】
前記テスト手段が、前記テスト結果情報を前記少なくとも１つの装置部分に出力するように設計されていることを特徴とする、請求項７と１２に記載の装置。
【請求項１４】
前記少なくとも１つの装置部分が、データを送信するように設計されていて、前記送信データの少なくとも一部が、前記テスト結果情報を表すことを特徴とする、請求項１３に記載の装置。
【請求項１５】
前記少なくとも１つの装置部分が、情報を表示するように設計されていて、前記表示情報の少なくとも一部が、前記テスト結果情報を表すことを特徴とする、請求項１３に記載の装置。
【請求項１６】
前記少なくとも１つの装置部分が、音響信号を出力するように設計されていて、前記出力音響信号の少なくとも一部が、前記テスト結果情報を表すことを特徴とする、請求項１３に記載の装置。
【請求項１７】
前記少なくとも１つの装置部分が、音響信号を出力するように設計されていて、前記出力音響信号が、前記テスト信号を形成することを特徴とする、請求項８に記載の装置。
【請求項１８】
前記音声入力手段が、
音響受信手段であって、前記音響信号を受信し、かつ前記受信された音響信号を表す出力受信データを生成しかつ出力するように設計されている音響受信手段
を有する、請求項２に記載の装置において、
前記テスト手段が、前記音響受信手段の前記機能をテストするように設計されていることを特徴とする、装置。
【請求項１９】
前記音声入力手段が、
反響抑制手段であって、前記装置によって自己生成されるかまたは少なくとも１つの装置部分によって生成され、かつ前記音声入力手段によって受信される音響信号を抑制するように設計されていて、かつ、無反響受信データを生成するように設計されている、反響抑制手段
を有する、請求項２に記載の装置において、
前記テスト手段が、前記反響抑制手段の前記機能をテストするように設計されていることを特徴とする、装置。
【請求項２０】
前記音声入力手段が、
音声制御命令認識手段であって、前記受信された音響信号の中の少なくとも１つの音声制御命令を認識するように設計されていて、かつ、前記受信された音響信号の中の少なくとも１つの音声制御命令が認識可能である場合に、前記認識された音声制御命令に対応する音声制御情報データを生成しかつ出力するように設計されている、音声制御命令認識手段
を有する、請求項２に記載の装置において、
前記テスト手段が、前記音声制御命令認識手段の前記機能をテストするように設計されていることを特徴とする、装置。
【請求項２１】
前記テスト手段が、前記音響受信手段の前記機能と、前記反響抑制手段の前記機能を組み合わせてテストするように設計されていることを特徴とする、請求項１８および１９に記載の装置。
【請求項２２】
前記テスト手段が、前記反響抑制手段の前記機能と、前記音声制御命令認識手段の前記機能を組み合わせてテストするように設計されていることを特徴とする、請求項１９および２０に記載の装置。
【請求項２３】
前記テスト手段が、テスト情報を格納するように設計されているテストメモリ手段を有することと、
前記テスト手段が、テスト信号生成手段であって、前記格納されたテスト情報を利用して、前記テスト信号を生成するように設計されているテスト信号生成手段、を有すること
を特徴とする、請求項６に記載の装置。
【請求項２４】
前記音声制御命令認識手段が、ユーザの発話の特性と、前記ユーザによって使用可能な多数の音声制御命令とに関して、前記装置の前記ユーザによってトレーニングできるように設計されている、請求項２０に記載の装置において、前記テスト手段が、前記トレーニング可能な前記音声制御命令認識手段の前記機能をテストするように設計されていることを特徴とする、装置。
【請求項２５】
前記テスト手段が、トレーニングデータを格納するように設計されているトレーニングデータメモリ手段を有していて、前記トレーニングデータの少なくとも一部を、前記音声制御命令認識手段をトレーニングしている間に、前記受信された音響信号から生成できることと、
前記テスト手段が、前記トレーニングデータを利用して、前記トレーニング可能な音声制御命令認識手段の機能をテストするように設計されていること
を特徴とする、請求項２４に記載の装置。
【請求項２６】
前記テスト手段が、参照データを格納するように設計されている参照データメモリ手段を有し、前記参照データの少なくとも一部を、元の音響信号によって生成でき、当該元の音響信号が、前記装置がユーザに納入される時点における前記音声制御命令認識手段によって認識できる音声制御命令を有することと、
前記テスト手段が、前記参照データを利用して、前記音声制御命令認識手段の前記機能をテストするように設計されていること、
を特徴とする、請求項２４に記載の装置。
【請求項２７】
前記テスト手段が、比較手段であって、前記結果データを受信し、かつ比較情報データを受信し、かつ前記結果データを前記比較情報データと比較するように設計されている、比較手段を有することと、
前記比較手段が、前記比較の結果を表すテスト結果情報を生成するように設計されていること、
を特徴とする、請求項１２に記載の装置。
【請求項２８】
前記装置が、比較情報を格納するように設計されている比較情報メモリ手段を有することと、
前記テスト手段が、前記比較情報メモリ手段にアクセスし、かつ前記比較情報を表す前記比較情報データを前記比較手段に出力するように設計されていること、
を特徴とする、請求項２７に記載の装置。
【請求項２９】
前記テスト手段が、前記少なくとも１つの装置部分から比較情報データを受信するように設計されていることを特徴とする、請求項７および２７に記載の装置。
【請求項３０】
装置の少なくとも１つの制御可能な装置部分を制御する方法であって、当該方法が、以下のステップ、すなわち、
音声制御手段によって前記少なくとも１つの装置部分を音声作動式に制御するステップであって、当該音声制御手段が、受信可能な音響信号によって少なくとも１つの装置部分を制御するように設計されている、方法において、前記音声制御手段が、テスト手段によってテストされることを特徴とする、ステップ
を有する、方法。
【請求項３１】
前記テスト手段によって前記音声制御手段の前記機能をテストしている間、テスト信号が、前記音声制御手段に送られることを特徴とする、請求項３０に記載の方法。
【請求項３２】
前記テスト手段によって前記音声制御手段の前記機能をテストしている間、前記出力音響信号が、前記テスト信号として前記音声制御手段に送られることを特徴とする、請求項３１に記載の方法。
【発明の詳細な説明】
【０００１】
【発明が属する技術分野】
本発明は、少なくとも１つの制御可能な装置部分を有する装置であって、当該装置が、前記少なくとも１つの装置部分を音声作動式に制御するように設計されている音声制御手段を有する、装置に関する。
【０００２】
本発明は、さらに、装置の少なくとも１つの制御可能な装置部分を制御する方法であって、当該方法が、次のステップ、すなわち、前記少なくとも１つの装置部分を音声制御手段によって音声作動式に制御するステップであって、当該音声制御手段が、受信可能な音響信号によって前記少なくとも１つの装置部分を制御するように設計されている、ステップ、を有する方法に関する。
【０００３】
【従来の技術】
冒頭の段落に説明されているタイプの装置と、２番目の段落に説明されているタイプの方法は、米国特許ＵＳ ４，８２７，５２０ Ａから公知である。
【０００４】
車輌を構成するこの公知の装置は、例えば、ラジオや携帯電話など車輌のアクセサリ類を音声作動式に制御するように設計されている音声制御手段を有する。この目的のため、この音声制御手段は、音響信号を受信し、受信された音響信号がユーザによって生成されかつ音声制御手段によって認識可能な音声制御命令を有する場合には、認識された音声制御命令に対応する制御データを生成しかつ出力して車輌のアクセサリ類を制御するように設計されている。この公知の音声制御手段においては、音声制御命令が正しく認識されない場合に、音声制御手段が音声制御命令を認識するように音声制御手段を再トレーニングすることによって、ユーザが自分に特有の発話特性に音声制御手段を適合させることができる方策が、さらに設けられている。このように正しく認識されない場合には、制御データが車輌のアクセサリ類に送られる前に、認識された音声命令を確認するように音声制御手段がユーザに指示する方策が、さらに設けられている。
【０００５】
この公知の装置の場合には、装置のユーザは、例えば、環境的な影響や健康状態の変化に起因して声の特性が変化したなどの理由により、場合によっては、音声制御手段を再トレーニングしても音声制御命令が正しく認識されるようにならないという問題に直面する。さらに、音声制御命令の認識精度を高めるために音声制御手段を再トレーニングするには、かなりの時間を要し、従って実際にはユーザにとって実用的でないことがしばしばある（特に、再トレーニングを繰り返しても、音声制御命令の認識が望ましいレベルに達しなかった場合）。このような場合に、認識された音声制御命令をユーザが確認できるにしても、車輌の音声制御手段の機能が明らかに不十分である、または故障しているというユーザの主観的な印象は解消できない。
【０００６】
車輌の運転中に車輌のアクセサリ類を音声作動式に正しく制御できなかったユーザは、ごく短期間の使用後に、音声制御手段の不十分な機能または故障について、車輌のメーカーに苦情を伝えるであろう。この状況では、専門的な修理設備による本格的かつ技術的に複雑な故障診断を実行する必要がある。この場合にも、診断が終了して乗物がユーザに戻るまでかなりの時間を要することがある。その理由として、音声制御手段は複雑な電子部品を使用して製造されていることと、専門的な修理設備においてこれらの電子部品の故障診断を行う資格が備わっていることは極めてまれであることがあげられる。メーカーには、この故障診断に関してかなりの費用がかかるが、保証期間内にはそのコストをユーザに請求できない。なぜなら、故障診断では客観的な故障を明らかにできないためと、メーカーは企業イメージの低下を避けたいためである。しかしながら、ユーザはマイナスの印象を持つであろう。その理由として、故障を報告しなくてはならなかったこと、その報告が不要であったことが後から判明したこと、故障診断が終わるまでの間、自分の車輌に乗れなかったこと、故障診断の結果が客観的に理解できないものであること、があげられる。
【０００７】
【課題を解決するための手段】
本発明の目的は、冒頭の段落に説明されているタイプの装置に関する上述されている問題を解決し、改良された装置を提供することである。
【０００８】
冒頭の段落に説明されているタイプの装置に関する上記の目的を達成するため、本発明によると、音声制御手段の機能をテストするように設計されているテスト手段が設けられている。
【０００９】
上記の目的を達成するために、２番目の段落に説明されているタイプの方法は、装置の少なくとも１つの制御可能な構造部分を制御する方法であって、当該方法が、次のステップ、すなわち、少なくとも１つの装置部分を音声制御手段によって音声作動式に制御するステップであって、当該音声制御手段が、前記少なくとも１つの装置部分を受信可能な音響信号によって制御するように設計されている、ステップを有する方法において、前記音声制御手段の機能が、テスト手段によってテストされることを特徴とする。
【００１０】
本発明による方策を設けることによって、次のことが有利に達成され、すなわち、装置の部分を音声作動式に正しく制御できないこともあるが、ユーザが装置の音声制御手段の不十分な機能または故障として報告すること（これは後から不要であると判明しうる）が、高い信頼性で回避され、さらにこれによって、装置のユーザの付加的な不便が防止される。また、本発明による方策を設けることによって、次のことも有利に達成され、すなわち、装置のメーカーは、装置の正しく機能している音声制御手段の不要な故障診断の費用を保証期間中に被らない。この費用は、顧客に負担させることができないため、メーカー自身が負担する必要がある。これによって、さらに次の利点が達成され、すなわち、装置は、その音声制御手段の機能を専門家が関与することなく装置内部でテストできるように設計される。これによって、さらに次の利点が達成され、すなわち、ユーザは、音声制御手段の機能のテストを、必要な頻度および必要な環境条件下で開始して実行できる。このようにして、ユーザは、音声制御手段の有用性を最大限可能な程度に確信でき、従って、ユーザは、装置の使用中に客観的ではなく単に主観的に気づいた、音声制御手段の明らかに不十分な機能または故障が、ユーザ自身の誤った操作に起因することを認識し、音声制御手段の使い方を改めることができる。
【００１１】
請求項２に記載の本発明による装置の場合には、音声制御手段の個々の構成要素もテストできるという利点が達成される。
【００１２】
請求項３に記載の本発明による装置の場合には、音声制御命令処理手段の機能のテストを、音声入力手段の機能のテストとは独立して実行できるという利点が達成される。
【００１３】
請求項４に記載の本発明による装置の場合には、音声入力手段の機能のテストを、音声制御命令処理手段の機能のテストとは独立して実行できるという利点が達成される。
【００１４】
請求項５に記載の本発明による装置と、請求項３１に記載の本発明による方法の場合には、音声制御手段の機能をテストするために、正確に定義できるテスト信号を音声制御手段に送ることができるという利点が達成される。
【００１５】
請求項６に記載の本発明による装置の場合には、例えば、装置が電気かみそりまたは電子レンジで構成される場合、すなわち装置がスピーカ、ディスプレイ、またはインタフェースを有することが極めてまれである場合のように、その周囲に情報を伝える能力に関して制限される装置の場合にも、音声制御手段のテストを実行できるという利点が達成される。
【００１６】
請求項７に記載の本発明による装置の場合には、テスト手段が、音声制御手段とは独立して、少なくとも１つの装置部分を制御し、これによって、テスト手段の柔軟性を最も簡単な方法で拡張できるという利点が達成される。
【００１７】
請求項８に記載の本発明による装置の場合には、モジュール方式によって拡張または交換できる制御可能な装置部分を有する装置の場合と、異なる装置部分用の音声制御命令が基本的に異なる場合にも、音声制御手段の機能をテストしている間、正しいテスト信号を音声制御手段に送ることができるという利点が達成される。
【００１８】
請求項９に記載の本発明による装置の場合には、テスト信号を音声制御手段に送るために、標準のコンパクトディスク（ＣＤ）またはＤＶＤ（ｄｉｇｉｔａｌ ｖｅｒｓａｔｉｌｅ ｄｉｓｋ）を使用でき、これによって、音声制御手段の機能に関して最も広範なテストを実行することもできるという利点が達成される。これによって、さらに次の利点が達成され、すなわち、装置の音声制御手段の機能をテストするために、装置のさまざまな使用エリアに適合化されたテスト信号を、最も簡単な方法において利用可能にできる。これは、例えば、装置が異なる言語地域において使用されるときに必要となることがある。このようにして、さらに達成される利点として、テスト信号を、装置の一部として組み込まれるハードディスクによって音声制御手段に送ることもできる。さらに、この文脈においては、取り外し可能なハードディスクにアクセスするように装置部分を設計することが、非常に有利であることが判明した。この理由は、これによって、ユーザによる音声制御手段のその場でのテスト、または専門的な修理設備における音声制御手段の機能のテストを、最も簡単に実行できるためである。これによって、さらに達成される利点として、音声制御手段の機能をテストすることを目的として、非常に丈夫なスマートカードも使用できる。このことは、特に、例えば、鉱山の中や宇宙旅行時などの過酷な環境条件下での装置の使用に関連して有利であることが判明した。
【００１９】
請求項１０に記載の本発明による装置の場合と、請求項３２に記載の本発明による方法の場合には、音声制御手段の機能のテストのデモンストレーションをユーザに提供できるという利点が達成される。
【００２０】
請求項１１に記載の本発明による装置の場合には、音声制御手段の機能のテストに関し、テスト信号をデータ網を介して装置に送信できるという利点が達成される。この場合、少なくとも１つの装置部分を、インターネットから受信データを受信するように設計することが、特に有利であると判明した。この文脈においてさらに言及できる点として、装置がモバイル使用に適した装置である場合、例えば、ＰＤＡ（携帯情報端末）または携帯電話の場合などには、少なくとも１つの装置部分を、電波を利用してデータを受信するように設計することが、特に有利であると判明した。
【００２１】
請求項１２に記載の本発明による装置の場合には、音声制御手段の機能のテストの結果の評価も、テスト手段によって実行できるという利点が達成される。
【００２２】
請求項１３に記載の本発明による装置の場合には、テスト結果情報を、少なくとも１つの装置部分によってさらに処理することもできるという利点が達成される。
【００２３】
請求項１４に記載の本発明による装置の場合には、テスト結果情報を装置によって出力できるという利点が達成される。これによって、さらに達成される利点として、テスト結果情報を、装置とは空間的に別個のサービスユニットからアクセス可能にすることもできる。送信データは、１つの方法として、例えば、インターネットなど回線接続されたデータ網によって送信できる。別の方法として、データ送信は、例えば、送信データを携帯電話によって送信するなど、電波によって実行することもできる。
【００２４】
請求項１５に記載の本発明による装置の場合には、テスト結果情報を、装置のユーザに視覚的にアクセス可能にすることもできるという利点が達成される。
【００２５】
請求項１６に記載の本発明による装置の場合には、テスト結果情報を、装置のユーザに音響的にアクセス可能にすることもできるという利点が達成される。
【００２６】
本発明による装置の場合には、電気テスト信号を、例えば、装置内部の音声制御手段に送ることができる。しかしながら、本発明による装置の場合には、請求項１７に記載の方策を設けることが、特に有利であると判明した。このようにして、音声制御手段の機能を、完全に明確にテストできるという利点が達成される。このようにして、さらに達成される利点として、装置のユーザは、出力される音響信号を聞くことによって、音声制御手段の機能をテストすることに実際に関与し、装置の実際の有用性を客観的に認識できる。このようにして、さらに達成される利点として、装置のユーザは、装置によって出力されかつテスト信号を構成する音響信号を利用して、装置の少なくとも１つの装置部分を音声作動式に制御するときの発声方法を訂正できる。
【００２７】
請求項１８に記載の本発明による装置の場合には、音声入力手段の音響受信手段を個別にテストできるという利点が達成される。
【００２８】
請求項１９に記載の本発明による装置の場合には、音声入力手段の反響抑制手段を個別にテストできるという利点が達成される。
【００２９】
請求項２０に記載の本発明による装置の場合には、音声入力手段の音声制御命令認識手段を個別にテストできるという利点が達成される。
【００３０】
請求項２１に記載の本発明による装置の場合には、音響受信手段の機能のテストを、反響抑制手段の機能と一緒に、音声制御命令認識手段の機能とは独立して実行できるという利点が達成される。
【００３１】
請求項２２に記載の本発明による装置の場合には、反響抑制手段の機能のテストを、音声制御命令認識手段の機能と一緒に、音響受信手段の機能とは独立して実行できるという利点が達成される。
【００３２】
請求項２３に記載の本発明による装置の場合には、テスト手段が、必要時にテスト信号を高い信頼性で完全に自立的に生成するように設計されるという利点が達成される。
【００３３】
本発明による装置の場合には、トレーニングできない音声制御命令認識手段の機能をテストするように、テスト手段を設計できる。しかしながら、請求項２４に記載の方策を提供することが、特に有利であると判明した。このようにして、装置のユーザに適合化できる音声制御命令認識手段の場合には、音声制御命令認識手段の機能のテストも実行できるという利点が達成される。
【００３４】
請求項２５に記載の本発明による装置の場合には、装置のユーザに適合化された音声制御命令認識手段の場合には、音声制御命令認識手段の機能のテストを、認識されるようにその時点でトレーニング済みの音声制御命令に基づいて実行できるという利点が達成される。
【００３５】
請求項２６に記載の本発明による装置の場合には、音声制御命令認識手段の機能のテストを、装置のユーザによって行われる適合化とは独立して、音声制御命令認識手段の元の設定に基づいて実行できるという利点が達成される。このようにして、さらに達成される利点として、場合によっては音声制御命令認識手段の故障につながりうる、ユーザによって実施された音声制御命令認識手段の誤った適合化を、音声制御命令認識手段の機能をテストしている間にバイパスできる。このようにして、さらに達成される利点として、トレーニング可能な音声制御命令認識手段の場合においてさえも、ユーザは音声制御命令認識手段の機能のテストから客観的な結果を得ることが出来る。
【００３６】
請求項２７に記載の本発明による装置の場合には、音声制御手段の機能のテストの正確な分類、例えば、「音声制御手段は機能する」または「音声制御手段は機能しない」などを、テスト手段によって生成できるという利点が達成される。
【００３７】
請求項２８に記載の本発明による装置の場合には、装置が、比較情報データを自立的に格納するように設計されるという利点が達成される。
【００３８】
請求項２９に記載の本発明による装置の場合には、装置部分がメモリ手段にアクセスするように設計される場合、比較情報データを、メモリ手段に格納された記憶データを使用してテスト手段に送ることができる、または、装置部分がデータを受信するように設計される場合、比較信号を、受信中に受信された受信データを使用してテスト手段に送ることができる、という利点が達成される。
【００３９】
【発明を実施するための形態】
以下に、図面に示されている実施例の３つの例を参照しながら、本発明についてさらに説明する。ただし、本発明はこれらの実施例に限定されることはない。
【００４０】
図１は、コンパクトオーディオシステムから成る装置１を示す。装置１は、少なくとも１つの制御可能な装置部分、すなわち、第一装置部分２と、第二装置部分３と、第三装置部分４と、第四装置部分５とを有する。第一装置部分２は、蛍光表示管の形式をとる。第二装置部分３は、無線受信機の形式をとる。第三装置４は、コンパクトディスクプレーヤーモジュールの形式をとる。第四装置部分５は、装置１からの音響信号ＳＡを生成しかつ出力するための音響信号生成手段から成り、かつ、プリアンプ（図１には示されていない）と、出力増幅器と、スピーカとを有する。これら４つの装置部分２、３、４、５は、それぞれ、制御データＣＤを受信するよう設計されていて、かつ、その個々の機能に関連する制御データＣＤによって制御できるように設計されている。
【００４１】
装置１は、４つの装置部分２、３、４、５を手動作動式に制御するように設計された手動制御手段６を、さらに有する。この目的のため、手動制御手段６は、手動入力手段７を有する。この手動入力手段７は、制御ボタンモジュールの形式をとり、従って装置１のユーザは、制御ボタンモジュールのボタンを手動操作することによって、４つの装置部分２、３、４、５の少なくとも１つを手動作動式に制御できる。手動入力手段７は、手動作動に応答して手動制御命令データＭＣＤを出力するように設計されている。手動制御手段６は、手動制御命令処理手段８をさらに有し、この手動制御命令処理手段８は、手動制御命令データＭＣＤを受信し、制御データＣＤを生成しかつ出力するように設計されている。この制御データＣＤは、それぞれの手動制御命令データＭＣＤに対応し、４つの装置部分２、３、４、５を制御するために供給される。従って、例えば、第一装置部分２の場合には、蛍光表示管の個々のディスプレイ要素を、受信される制御データＣＤの機能としてアクティブまたは非アクティブにできる。従って、第二装置部分３の場合には、受信される制御データＣＤの機能として、異なる無線放送を受信するために無線受信機の受信周波数を切り替えることがさらに可能である。従って、第三装置部分４の場合には、受信される制御データＣＤの機能として、コンパクトディスクの再生を開始または停止する、または別の曲を選択することがさらに可能である。従って、第四装置部分５の場合には、受信される制御データＣＤの機能として、装置１によって出力できる音響信号ＳＡの強度すなわち音量を変更する、または出力できる音響信号ＳＡの音程を変更することがさらに可能である。
【００４２】
装置１は、４つの装置部分２、３、４、５を音声作動式に制御するように設定されている音声制御手段９を、さらに有する。音声制御手段９は、音声入力手段１０と音声制御命令処理手段１１とを有する。
【００４３】
音声入力手段１０は、音響信号ＥＡを受信し、受信された音響信号ＥＡの中に少なくとも１つの音声制御命令が認識可能である場合に、その認識可能な音声制御命令に対応する音声制御命令データＶＣＤを生成し、かつ音声制御命令処理手段１１に出力するように設計されている。
【００４４】
音声制御命令処理手段１１は、音声制御命令処理手段１１を形成するのに適するマイクロプロセッサとソフトウェアの形式をとり、音声制御命令データＶＣＤを受信しかつ処理し、その音声制御命令データＶＣＤに対応する制御データＣＤを生成しかつ出力するように設計されている。この制御データＣＤは、４つの装置部分２、３、４、５を制御するために使用される。音声制御命令処理手段１１は、第一状態制御信号ＺＳ１を受信するように、さらに設計されている。音声制御命令処理手段１１は、第一状態制御信号ＺＳ１の機能として、非アクティブ状態またはアクティブ状態にでき、非アクティブ状態においては制御データＣＤが出力されないように設計されている。
【００４５】
音声入力手段１０は、音響信号ＥＡを受信することを目的とする音響受信手段１２を有する。この音響受信手段１２は、マイクロホン（図１には示されていない）と、マイクロホンアンプと、アナログ／デジタル変換器の形式をとる。音響受信手段１２は、受信データＲＤを出力するようにさらに設計されていて、この受信データＲＤは、第二音響信号Ａ２のデジタル表現を構成する。音響受信手段１２は、第二状態制御信号ＺＳ２を受信するように、さらに設計されている。音響受信手段１２は、第二状態制御信号ＺＳ２の機能として、非アクティブ状態またはアクティブ状態にでき、非アクティブ状態においては受信データＲＤが出力されないように設計されている。
【００４６】
音声入力手段１０は、反響抑制手段１３をさらに有する。この反響抑制手段１３は、音声入力手段１０によって受信される音響信号ＥＡの中の、第四装置部分５によって自己生成される出力オーディオ信号ＳＡを抑制するように設計されている。抑制を目的として、反響抑制手段１３は、出力音響信号ＳＡを表す抑制信号ＲＳを受信するように設計されていて、この抑制信号ＲＳは、第四装置部分５によって出力される。反響抑制手段１３は、自己生成される出力音響信号ＳＡの抑制の結果として、無反響受信データＲＲＤを生成しかつ出力するように、さらに設計されている。反響抑制手段１３は、さらに、第三状態制御信号ＺＳ３を受信するように設計されている。反響抑制手段１３は、第三状態制御信号ＺＳ３の機能として、非アクティブ状態またはアクティブ状態にできるように設計されていて、非アクティブ状態においては無反響受信データＲＲＤが出力されないようにできる。アクティブ状態においては、反響抑制手段１３は、第三状態制御信号ＺＳ３によってニュートラル状態にできるように設計されていて、このニュートラル状態においては、受信データＲＤを無反響受信データＲＲＤとして出力できる。反響抑制手段１３は、デジタル信号プロセッサ（ＤＳＰ）の形式をとる。
【００４７】
音声入力手段１０は、音声制御命令認識手段１４をさらに有する。この音声制御命令認識手段１４は、受信可能な音響信号ＥＡの中の少なくとも１つの音声制御命令を認識するように設計されている。音声制御命令認識手段１４は、受信された音響信号ＥＡの中の少なくとも１つの音声制御命令が認識可能である場合に、認識可能な音声制御命令に対応する音声制御命令データＶＣＤを生成しかつ出力するように設計されている。音声制御命令認識手段１４は、マイクロプロセッサ上で実行できるソフトウェアの形式をとる。音声制御命令認識手段１４は、音素メモリ手段（図１には示されていない）を有する。この音素メモリ手段には、無反響受信データＲＲＤの中の音声制御命令を認識することを目的として、音素シーケンスが格納されている。この音素シーケンスは、認識可能な音声制御命令それぞれに対応し、音声制御命令それぞれの代表的な発音である。音素シーケンスは、特定の言語の代表者１００人によって生成されていて、音声制御手段９は、これらの音素シーケンスを変更するようには設計されていない。音声制御命令認識手段１４は、第四状態制御信号ＺＳ４を受信するように、さらに設計されている。音声制御命令認識手段１４は、非アクティブ状態またはアクティブ状態にでき、非アクティブ状態においては音声制御命令データＶＣＤが出力されないように設計されている。
【００４８】
音声入力手段１０は、音響受信手段１２と、反響抑制手段１３と、音声制御命令認識手段１４のすべてが非アクティブ状態になった場合に、音声制御命令データＶＣＤが音声入力手段１０によって音声制御命令処理手段１１に出力されないように、非アクティブにできるように設計されている。
【００４９】
本発明によると、装置１は、音声制御手段９の機能をテストするように設計されているテスト手段１５を有する。テスト手段１５は、テスト制御手段１６と、テスト信号生成手段１７と、比較手段１８と、テストメモリ手段１９とを有し、かつ、テスト手段１５を設けるのに適したマイクロプロセッサとソフトウェアの形式をとる。
【００５０】
テスト制御手段１６は、音声制御手段９の機能のテストを制御するように設計されている。テスト制御手段１６は、この目的のため、手動制御手段６によって生成できる制御データＣＤを受信するように設計されている。テスト制御手段１６は、受信可能な制御データＣＤによって、テストを開始、およびテストを停止するように設計されている。テスト制御手段１６は、４つの装置部分２、３、４、５を制御するために、制御データＣＤをテスト中に生成するように、さらに設計されている。従って、テスト中にも、第一装置部分２によって表示情報を表示させたり、第四装置部分５によって出力される音響信号ＳＡのボリュームまたは音程を変更できる。
【００５１】
テストを制御する目的のため、テスト制御手段１６は、４つの状態制御信号ＺＳ１、ＺＳ２、ＺＳ３、ＺＳ４を生成しかつ出力するように、さらに設計されている。テスト制御手段１６によって、音響信号受信手段１２と、反響抑制手段１３と、音声制御命令認識手段１４を、それぞれ非アクティブ状態にし、かつ、音声制御命令処理手段１１をアクティブ状態にできる。従って、テスト手段１５は、音声入力手段１０を非アクティブにし、音声入力手段１０によって影響されることなく音声制御命令処理手段１１をテストするように設計されている。これは、第一テストモードを定義する。さらに、テスト制御手段１６は、音響信号受信手段１２と、反響抑制手段１３と、音声制御命令認識手段１４を、それぞれアクティブ状態にし、かつ、音声制御命令処理手段１１を非アクティブ状態にするように設計されている。従って、テスト手段１５は、音声制御命令処理手段１１を非アクティブにし、音声制御命令処理手段１１によって影響されることなく音声入力手段１０をテストするように設計されている。これは、第二テストモードを定義する。従って、テスト手段１５は、音声入力手段の機能をテストするか、または音声制御命令処理手段１１の機能をテストするように設計されている。しかしながら、テスト制御手段１６によって、音響受信手段１２と、反響抑制手段１３と、音声制御命令認識手段１４と、音声制御命令処理手段１１を、それぞれ同時にアクティブ状態にすることもできる。これは、第三テストモードを定義する。従って、テスト手段１５は、音声入力手段１０の機能をテストし、かつ、音声制御命令処理手段１１の機能をテストするように設計されている、しかしながら、テスト制御手段１６によって、音響受信手段１２のみをアクティブ状態にし、かつ手段１３、１４、１１をそれぞれ非アクティブ状態にすることも可能であり、この場合、テスト手段１５は、音響受信手段１２の機能をテストするように設計されている。これは、第四テストモードを定義する。さらに、反響抑制手段１３のみをテスト制御手段１６によってアクティブ状態にし、手段１２、１４、１１を非アクティブ状態にすることも可能であり、この場合、テスト手段１５は、反響抑制手段１３の機能をテストするように設計されている。これは、５番目のテストモードを定義する。さらに、音声制御命令認識手段１４のみをテスト制御手段１６によってアクティブ状態にし、手段１２、１３、１１を非アクティブ状態にすることも可能であり、この場合、テスト手段１５は、音声制御命令認識１４の機能をテストするように設計されている。これは、６番目のテストモードを定義する。さらに、テスト制御手段１６によって音響受信手段１２と反響抑制手段１３をアクティブ状態にし、かつ音声制御命令認識手段１４を非アクティブ状態にすることができ、この場合、テスト手段１５は、音響受信手段１２と反響抑制手段１３の機能を組み合わせてテストするように設計されている。これは、７番目のテストモードを定義する。さらに、テスト制御手段１６によって、反響抑制手段１３と音声制御命令認識手段１４をアクティブ状態にし、かつ音響受信手段１２と音声制御命令処理手段１１を非アクティブ状態にすることができ、この場合、テスト手段１５は、反響抑制手段１３と音声制御命令認識手段１４の機能を組合せとしてテストするように設計されている。これは、８番目のテストモードを定義する。
【００５２】
テストを制御する目的のため、テスト制御手段１６は、第一結果データＲ１と、第二結果データＲ２と、第三結果データＲ３と、第四結果データＲ４とを受信するように、さらに設計されている。この場合に、音声制御命令処理手段１１によって出力できる制御データＣＤが第一結果データＲ１を形成し、受信データＲＤが第二結果データＲ２を形成し、無反響受信データＲＲＤが第三受信データＲ３を形成し、音声制御命令データＶＣＤが第四結果データＲ４を形成する。テスト制御手段１６は、４つの結果データＲ１、Ｒ２、Ｒ３、Ｒ４を比較手段１８に出力するように、さらに設計されている。テスト制御手段１６は、テストメモリ手段１９にアクセスし、同時に、テスト情報データＴＩＤと比較情報データＣＩＤを受信するように、さらに設計されている。テスト制御手段１６は、テスト情報データＴＩＤをテスト信号生成手段１７に出力し、かつ比較情報データＣＩＤを比較手段１８に出力するように、さらに設計されている。
【００５３】
テスト制御手段１６は、テスト結果情報データＴＲＩを比較手段１８から受信するように、さらに設計されている。テスト制御手段１６は、テスト結果情報データＴＲＩを受信する場合には、第一装置部分２を制御するための制御データＣＤを生成するように、さらに設計されている。この場合に、制御データＣＤは、第一装置部分２で表示する表示情報を有し、この表示情報は、その少なくとも一部が、テスト結果情報を表す。また、この文脈においては、さらに言及できる点として、テスト制御手段１６は、テスト結果情報データＴＲＩの受信時にオーディオ信号ＡＳを生成するように設計することもできる。このオーディオ信号ＡＳは、第四装置部分５に出力することができ、かつ、第四装置部分５によって音響信号ＳＡとして出力できる。従って、出力音響信号ＳＡは、少なくとも一部がテスト結果情報を表す。この場合には、出力音響信号ＳＡは、例えば、ユーザが聞くことのできる文、すなわち「テストは正常に完了しました」または「テストは失敗しました」を表すことができる。
【００５４】
テストメモリ手段１９は、テスト情報メモリ手段２０と比較情報メモリ手段２１とを有する。テスト情報メモリ手段２０は、テスト情報を格納するように設計されていて、このテスト情報メモリ手段２０には、テスト信号を生成する目的でテスト情報が用意される。テスト制御手段１６がテストメモリ手段１９にアクセスする場合に、このテスト情報をテスト情報データＴＩＤとしてテスト制御手段１６に出力できる。比較情報メモリ手段２１は、比較情報を格納するように設計されていて、この比較情報メモリ手段２１には、結果データＲ１、Ｒ２、Ｒ３、Ｒ４と比較するためのベースとして比較情報が用意される。テスト制御手段１６がテストメモリ手段１９にアクセスする場合に、この比較情報を比較情報データＣＩＤとしてテスト制御手段１６に出力できる。テスト情報と比較情報は、情報の対を形成し、この情報の対は、すべてのテストモードについて音声制御手段９の機能をテストするために必要な情報を有する。
【００５５】
テスト信号生成手段１７は、テスト情報データＴＩＤを利用して第一テストオーディオ信号ＴＡＳ１を生成し、かつ音響受信手段１２に出力するように設計されている。テスト信号生成手段１７は、テスト情報データＴＩＤを利用して受信データＲＤの形式で第一テストデータＴＤ１を生成し、かつ反響抑制手段１３に出力するように、さらに設計されている。テスト信号生成手段１７は、テスト情報データＴＩＤを利用して無反響受信データＲＲＤの形式で第二テストデータＴＤ２を生成し、かつ音声制御命令認識手段１４に出力するように、さらに設計されている。テスト信号生成手段１７は、テスト情報データＴＩＤを利用して音声制御命令データＶＣＤの形式で第三テストデータＴＤ３を生成し、かつ音声制御命令処理手段１１に出力するように、さらに設計されている。テスト信号生成手段１７は、テスト情報データＴＩＤを利用して第二テストオーディオ信号ＴＡＳ２を生成し、かつ第四装置部分５に出力するように、さらに設計されている。この場合、音響信号ＳＡを、第四装置部分５によって第二テストオーディオ信号ＴＡＳ２に基づいて生成かつ出力でき、音声制御手段９によって音響信号ＥＡとして受信できる。従って、テスト信号をテスト手段１５を介して音声制御手段９に送ることができ、この場合に、テスト信号は、第一テストオーディオ信号ＴＡＳ１、受信された音響信号ＥＡ、第一テストデータＴＤ１、第二テストデータＴＤ２、第三テストデータＴＤ３のいずれかの形式をとる。第一テストオーディオ信号ＴＡＳ１、第一テストデータＴＤ１、第二テストデータＴＤ２、または第三テストデータＴＤ３の場合には、テスト手段１５はテスト信号を自立的に生成するように設計されている。第二テストオーディオ信号ＴＡＳ２によって生成される出力音響信号ＳＡ（これは音声制御手段９に受信音響信号ＥＡとして送られてテスト信号が形成される）の場合には、第四装置部分５の制御の結果としてテスト手段１５を介してテスト信号を音声制御手段９に送ることができる。
【００５６】
比較手段１８は、結果データＲ１、Ｒ２、Ｒ３、Ｒ４を受信し、かつ、比較情報データＣＩＤを受信し、かつ、結果データＲ１、Ｒ２、Ｒ３、Ｒ４を比較情報データＣＩＤと比較するように設計されている。比較手段１８は、さらに、比較の結果を表すテスト結果情報を生成し、かつ、テスト結果情報を表すテスト結果情報データＴＲＩをテスト制御手段１６に出力するように、設計されている。
【００５７】
従って、テスト信号ＴＡＳ１、ＴＤ１、ＴＤ２、ＴＤ３、またはＡ２を、それぞれのテストモードの機能としてテスト手段１５によって音声制御手段９に送ることができる。音声制御手段９の機能、または手段１２、１３、１４、または１１の機能は、それぞれのテストモードの機能として、互いに独立して、または組み合わせてテストできる。従って、テスト手段１５は、さらに、結果データＲ１、Ｒ２、Ｒ３、またはＲ４を受信するように、設計されていて、この場合に、結果データＲ１、Ｒ２、Ｒ３、またはＲ４は、テスト手段１５によって音声制御手段９に送ることのできるテスト信号ＴＡＳ１、ＴＤ１、ＴＤ２、ＴＤ３、またはＡ２に応答して、音声制御手段９によって生成できる。テスト手段１５は、さらに、結果データＲ１、Ｒ２、Ｒ３、またはＲ４と比較情報を利用してテスト結果情報を生成するように、設計されている。
【００５８】
次に、装置１の機能について、用途の例を参照しながら説明する。用途のこの例によると、装置１のユーザが、第二装置部分３、すなわち無線受信器を制御するために、制御命令を発声し、この場合に、発声された音声制御命令は、出力音響信号ＳＡが自己生成される場合にはそれと一緒に、装置１の音声制御手段９によって受信可能な受信音響信号ＥＡを形成すると想定する。その結果として、装置１の場合には、４つの制御可能な装置部分２、３、４、５の１つを制御する方法が適用される。この方法においては、音声制御手段９が、４つの装置部分２、３、４、５の１つを音声作動式に制御しようとする。しかしながら、ユーザが音声制御命令を不明瞭に発声するため、第二装置部分３の音声作動式制御が失敗する。しかしながら、ユーザは自分が音声制御命令を不明瞭に発声したことに気づかず、自分が発声した音声制御命令に装置１が正しく応答しないという主観的な印象を持つ。このような状況において、ユーザは、音声制御手段９のテストを開始するために設けられている手動制御手段６のボタンを作動させることによって、音声制御手段９の機能のテストを開始する。開始時、４つの制御可能な装置部分２、３、４、５を制御するためのこの方法の場合には、音声制御手段９の機能が、テスト手段１５によってテストされる。テスト手段１５による音声制御手段９の機能のテストの間、受信された音響信号ＥＡが、テスト信号として音声制御手段９に送られる。
【００５９】
この目的のため、手動制御手段６は、最初に、制御データＣＤを生成してテストを開始する。テスト制御手段１６は、テスト制御データＣＤを受信し、第三テストモードに従って音声制御手段９の機能のテストを開始する。このモードにおいては、最初に、音声入力手段１０と音声制御命令処理手段１１が、４つの制御信号ＺＳ１、ＺＳ２、ＺＳ３、ＺＳ４を利用することによりテスト制御手段１６によってアクティブ状態になる。
【００６０】
テスト制御手段１６は、次いで、反響抑制手段１３を第三状態制御信号ＺＳ３によってニュートラル状態にする。従って、自己生成される出力音響信号ＳＡの抑制が、反響抑制手段１３によって実行されない。
【００６１】
テスト制御手段１６は、次いで、第四装置部分５によって音響信号ＳＡが出力されるように、第四装置部分５を制御データＣＤによって制御する。この場合に、出力音響信号ＳＡは、標準のボリュームと標準の音程を示す。
【００６２】
テスト信号生成手段１７は、テスト情報データＴＩＤを受信し、最初に、テスト情報データＴＩＤに従って第二テストオーディオ信号ＴＡＳ２を生成し、このテストオーディオ信号ＴＡＳ２を第四装置部分５に出力する。第二テストオーディオＴＡＳ２は、単語「テスト」を表し、この単語が、音声入力手段１０によって音声制御命令として認識される。この第二テストオーディオ信号ＴＡＳ２に基づいて、音響信号ＳＡが、第四装置部分５によって生成および出力され、この音響信号ＳＡを装置１のユーザが聞く。同時に、この出力音響信号ＥＡは、音響受信手段１２によって音響信号ＥＡとして受信され、テスト信号として使用される。音響受信手段１２は、受信された音響信号ＥＡを表す受信データＲＤを生成し、ニュートラル状態になっている反響抑制手段１３にこの受信データＲＤを出力する。
【００６３】
反響抑制手段１３は、受信データＲＤをそのまま無反響受信データＲＲＤとして音声制御命令認識手段１４に出力する。次いで、音声制御命令手段１４が、音声制御命令「テスト」をそのように認識し、この音声制御命令に対応する音声制御命令データＶＣＤを生成し、このデータＶＣＤを音声制御命令処理手段１１に出力する。次いで、音声制御命令処理手段１１が、制御データＣＤを生成し、このデータＣＤによって単語「テスト」が第一装置部分２によって表示される。この文脈において言及できる点として、音声制御命令（例：「ＣＤスタート」）が認識されることによって４つの装置部分２、３、４、５の１つが制御される場合には、適切な制御データＣＤを介して第三装置部分４においてコンパクトディスクの再生を開始できる。
【００６４】
それと同時に、４つの結果データＲ１、Ｒ２、Ｒ３、Ｒ４が、テスト制御手段１６によって受信され、かつ比較手段１８に出力される。テスト制御手段１６は、さらにテストメモリ手段１９にアクセスし、テストメモリ手段１９から比較情報データを検索し、そのデータを比較手段１８に出力する。次いで、比較手段１８は、受信された比較情報データＣＩＤと４つの結果データＲ１、Ｒ２、Ｒ３、Ｒ４とを比較し、比較情報データと４つの結果データＲ１、Ｒ２、Ｒ３、Ｒ４が一致する場合には、音声制御手段９のテストの正常な完了を表すテスト結果情報を生成する。テスト制御手段１６は、このテスト結果情報を表すテスト結果情報データＴＲＩを受信すると、第一装置部分２用の制御データＣＤを生成し、従って、テストの正常な完了をユーザに伝える表示情報が、第一装置部分２によって表示される。これは、複数の単語「音響テストが正常に完了しました」を表示することによって行われる。このようにして、ユーザはテスト信号を聞き、４つの装置部分２、３、４、または５の１つを音声作動式に制御することに自身が関与しているため、ユーザは装置または音声制御手段９の有用性を客観的に確信できるという利点が達成される。このようにして、さらに達成される利点として、ユーザは、聞こえるテスト信号に基づいて自身の発声方法を最適化できる。
【００６５】
テスト結果情報データＴＲＩが音声制御手段９の異常なテスト結果を表す場合には、音響信号ＳＡの生成と出力が繰り返し実行され、この場合に、各繰り返し時の出力音響信号ＳＡのボリュームおよび／または音程が異なるように、各繰り返し時、テスト情報データＴＩＤによる所定の方式に従って第四装置部分５がテスト制御手段１６によって制御される。従って、音声制御手段９は、ボリュームと音程に関してそれぞれ異なる出力音声信号ＳＡによってテストされる。これらの繰り返される各テスト時に、４つの結果データＲ１、Ｒ２、Ｒ３、Ｒ４が、テスト制御手段１６によって受信され、テストメモリ手段１９に格納されている比較情報データＣＩＤとの比較を目的として、比較手段１８に出力される。比較の結果に従って、すなわちテスト結果情報データＴＲＩに従って、必要な品質の受信データＲＤが音響受信手段１２によって出力されているか否かを、テスト制御手段１６を介して確定できる。さらに、無反響受信データＲＲＤが受信データＲＤに実際に一致するか否かを、テスト制御手段１６によって確定できる。さらに、適切な品質の受信データＲＤが存在し、かつ受信データＲＤに一致する無反響受信データＲＲＤが存在する場合に、適切な音声制御命令データＶＣＤが生成されているか否かを、テスト制御手段１６によって確定できる。従って、結果データＲ１、Ｒ２、Ｒ３、Ｒ４のうちのいずれから、手段１２、１３、または１４の故障に関する結論を引き出すことができるかを、テスト制御手段１６によって相対的に正確に確立できる。これに関連して言及できる点として、テスト手段１５による音声制御手段９のテスト時に、その環境条件下において音声作動式制御が可能であるか否かも、確立できる。
【００６６】
例えば、音響受信手段１２が適切な品質の受信データＲＤを出力していない場合には、音声制御手段９の機能のテストは、第四テストモードに従って実行される。この場合、第一テストオーディオ信号ＴＡＳ１がテスト制御手段１６によってテスト信号として音響受信手段１２に送られ、この結果として生じる第二結果データＲ２が、比較手段８による比較を目的として送信される。テスト結果情報が音響受信手段１２の機能のテストの成功を示さない場合には、テスト制御手段１６は、音響受信手段１２が故障していると結論し、このことを第一装置部分２によってユーザに伝えることができる。テスト結果情報が音響受信手段１２の機能のテストの成功を示す場合には、テスト制御手段１６は、このことから、音響受信手段１２によって音響信号ＥＡの音響受信を実行できないものと結論する。従ってマイクロホンの領域に故障があると想定でき、このことが、同様に第一装置部分２によってユーザに伝えられる。
【００６７】
不良な無反響受信データＲＲＤが比較手段１８によって検出される場合には、音声制御手段９の機能のテストは、５番目のテストモードに従って続行される。この場合には、第一テストデータＴＤ１を構成する受信データＲＤが、テスト信号生成手段１７によって生成され、反響抑制手段１３に出力される。次いで、テスト制御手段１６によって受信される第三結果データＲ３が、比較手段１８によって比較情報データＣＩＤと比較され、テスト制御手段１６によってテスト結果情報が第一装置部分２によってユーザに伝えられる。音響受信手段１２と反響抑制手段１３が故障を示さない場合には、音声制御手段の機能のテストは６番目のテストモードに従って実行される。この場合には、第二テストデータＴＤ２を構成する無反響受信データＲＲＤが、テスト信号生成手段１７によって音声制御命令認識手段１４に出力される。第三状態制御信号ＺＳ３を適切に生成することによって、反響抑制手段１３の機能が、非アクティブ状態と、アクティブ状態と、ニュートラル状態においてテストされる。テスト制御手段１６によって受信される第四結果データが、比較を目的として比較手段１８に出力される。比較の結果は、テスト制御手段１６によって第一装置部分２により視覚的にユーザに伝えられる。この文脈においては、特に装置１の音声制御手段９が正しく機能しているときには、音声制御手段９をテストしたとときに、受信された音響信号ＥＡによって形成されるテスト信号によって、装置のユーザのためのデモンストレーションが開始されることが、特に有利であることが判明した。さらに達成される利点として、ユーザは、オプションとして、装置１自身によって生成されて音響的に出力される制御命令に基づいて、自分の不正確な操作を訂正できる。さらに、音声制御手段９が実際に故障している場合には、音声入力手段１０の機能と音声制御命令処理手段１１の機能を、テスト手段１５によって非常に正確かつ迅速にテストすることができ、その一方で、故障箇所が最も効率的に特定され、サービス修理設備において適切な修理措置を実行できる。
【００６８】
図２に示されている装置１は、ゲームコンソールから成る。図２に示されている第一装置１の場合には、第一装置部分２は、表示制御手段を形成する。この表示制御手段は、自身が生成してテレビ２２に出力できる表示信号ＴＶＳによって、テレビ受像機２２を制御するように設計されている。第四装置部分５は、音響信号出力手段から成り、この音響信号出力手段は、オーディオ信号ＡＳと第二テストオーディオ信号ＴＡＳ２をテレビ受像機２２に出力するように設計されている。テレビ受像機２２は、オーディオ信号ＡＳと第二テストオーディオ信号ＴＡＳ２を音響信号ＳＡに変換することのできる音響信号生成手段を有し、音響信号ＳＡはテレビ受像機２２によって出力できる。
【００６９】
図２に示されている装置１は、図１に示されている装置１とは対照的に、テストメモリ手段１９を有さない。しかしながら、第二装置部分３は、ネットワーク通信手段から成る。この通信手段は、装置１に接続可能なネットワーク２３を通じてデータを通信するように設計されている。この場合には、ネットワーク２３は、インターネットの形式をとる。しかしながら、これに関連して言及できる点として、ネットワーク２３は、ローカルエリアネットワークまたはワイドエリアネットワークの形式、または無線ベースのネットワークの形式をとることもでき、第二装置部分３はそれに応じて設計できる。
【００７０】
サービスユニット２４は、ネットワーク２３に接続でき、このサービスユニット２４によって、テスト情報データＴＩＤと比較情報データＣＩＤをネットワーク２３を通じて装置１に伝えることができる。ネットワーク２３との通信の間、テスト情報データＴＩＤと比較情報データＣＩＤは、第二装置部分３によって受信データとして受信できる。従って、第二装置部分３は、データを受信するように設計されていて、この場合に、受信されたデータの少なくとも一部は、テスト信号を表す。第二装置部分３は、さらに、テスト情報データＴＩＤと比較情報データＣＩＤをテスト制御手段１６に出力するように、設計されている。従って、音声制御手段９の機能のテストを、テスト情報データＴＩＤと比較情報データＣＩＤとに基づいて、テスト制御手段１６によって実行できる。このテストの結果、すなわちテスト結果情報データＴＲＩは、制御データＣＤによって第二装置部分３を制御する場合に、テスト制御手段１６によって制御データＣＤの成分として第二装置部分３に出力できる。ネットワーク２３と通信する場合には、テスト結果情報データＴＲＩを、第二装置部分３によって送信データとしてネットワーク２３に出力し、ネットワーク２３を介してサービスユニット２４に送ることができる。従って、第二装置部分３は、データを送信するように設計されていて、この場合に、送信時、送信データの少なくとも一部はテスト結果情報を表す。この結果として、音声制御手段９の機能の遠隔制御可能なテストを、テスト手段１５によって実行することができる。
【００７１】
言及できる点として、テスト情報データＴＩＤが適切である場合には、テスト信号生成手段１７を省略できる。これは、テスト情報データＴＩＤが、第一テストデータＴＤ１、第二テストデータＴＤ２、または第三テストデータＴＤ３をすでに示し、従ってこれらのテストデータＴＤ１、ＴＤ２、またはＴＤ３をテスト制御手段１６によって直接出力できる場合である。これに関連してさらに言及できる点として、テスト情報データＴＩＤが、第二テストオーディオ信号ＴＡＳ２も示すことができる。このことは、第四装置部分５が、デジタルオーディオ信号ＡＳまたはＴＡＳ２を受信するように設計されているオーディオ信号出力手段から成るときに、特に適する。
【００７２】
さらに言及できる点として、比較手段１８は、テスト手段１５から省略できる。これに関連してさらに言及できる点として、テスト制御手段１６は、結果データＲ１、Ｒ２、Ｒ３、またはＲ４それぞれを制御データＣＤの成分として第二装置部分３に出力するように設計できる。結果データＲ１、Ｒ２、Ｒ３、またはＲ４それぞれは、第二装置部分３によって、ネットワークを通じて送信データとしてサービスユニット２４に伝えることができる。このようにして、テスト手段１５が最も簡単な構造であることと、テスト信号を表すテスト情報データＴＩＤの生成および供給と結果データＲ１、Ｒ２、Ｒ３、またはＲ４の比較を、すべてサービスユニット２４によって実行できることとが、有利に達成される。
【００７３】
第三装置部分４は、例えば、コンパクトディスク（ＣＤ）またはＤＶＤ（ｄｉｇｉｔａｌ ｖｅｒｓａｔｉｌｅ ｄｉｓｋ）などの光学的に読み取り可能なメモリ手段にアクセスするように設計されている。この光メモリ手段に格納されるデータは、音楽の曲および／またはビデオフィルム、またはテスト信号を表す。従って、音声制御手段９のテストを音響信号または視覚信号によって開始したり、テストを解説する、または音楽や映像を付けることが可能である。しかしながら、格納されるデータは、テスト情報データＴＩＤと比較情報データＣＩＤも有することができる。従って、メモリ手段に格納されるデータは、その少なくとも一部がテスト信号を表す。
【００７４】
テスト手段１５は、第三装置部分４を制御するように設計されている。従って、第三装置部分４の制御の結果としてテスト信号をテスト手段１５によって音声制御手段に送ることができる。テスト情報データＴＩＤと比較情報データＣＩＤは、第三装置部分４の制御の結果としてメモリ手段から同様に検索し、テスト制御手段１６に出力できる。
【００７５】
このようにして、ネットワーク２３との接続が存在しない場合にも、音声制御手段９の機能のテストを実行できるという利点が達成される。
【００７６】
言及できる点として、装置１は、インターネット・オーディオ装置を有することもでき、その場合には、第一装置部分２と第三装置部分４が設けられず、装置１は、インターネットを通じてオーディオデータを受信し、かつこれらのオーディオデータを出力するように設計できる。このオーディオデータは、音響信号ＳＡとしてのオーディオ信号ＡＳまたは第二テストオーディオ信号ＴＡＳ２を表す。
【００７７】
図３に示されている装置１は、車輌から成る。図３に示されている装置１においては、第一装置部分２は、ナビゲーション装置の形式をとる。第二装置部分３は、携帯電話の形式をとる。第三装置部分４は、空調システムを有する。第四装置部分５は、ハイファイ・オーディオ再生装置を有し、この装置は、音響信号ＳＡを生成しかつ出力するように設計されていて、従って、出力音響信号ＳＡは、主として装置１内で聞くことができる。音声制御手段９は、音響受信手段１２を有し、この音響受信手段１２は、音響信号ＥＡを受信するために入力側に指向性マイクロホンを有する。図３に示されている装置１には、図１に示されている装置と対照的に、反響抑制手段１３が設けられておらず、その理由は、音響受信手段１２に指向性マイクロホンが設けられているためである。音声制御手段９は、音声制御命令認識手段１４をさらに有し、この音声制御命令認識手段１４は、データＲＤを直接受信するように設計されている。
【００７８】
音声制御命令認識手段１４は、ユーザの発話の特性と、ユーザが使用できる多数の音声制御命令に関して、装置１のユーザによってトレーニングできるように設計されている。音声制御命令認識手段１４は、トレーニングしている間、音声制御命令を認識するために必要な音素データを、受信データＲＤに基づいて修正するように設計されている。修正された音素データは、音声制御命令認識手段１４によってユーザ音素データとして格納される。テスト手段１５は、トレーニング可能な音声制御命令認識手段１４の機能をテストするように設計されている。
【００７９】
この目的のため、テスト手段１５は、トレーニングデータメモリ手段２５と参照データメモリ手段２６とを有する。トレーニングデータメモリ手段２５は、トレーニングデータＥＤを格納することを目的とし、この場合に、トレーニングデータＥＤの少なくとも一部は、音声制御命令認識手段１４のトレーニングの間に、受信された音響信号ＥＡから生成できる。音声制御命令認識手段１４のトレーニングの間、ユーザは、トレーニングを実施する対象の音声制御命令を手動制御手段６によって選択できる。この音声制御命令は、第一装置部分２のスクリーンによって単語として視覚的に表示できる。次いで、音声制御命令の発声時にユーザによって生成できる音響信号ＥＡを、音響受信手段１２によって受信できる。音響受信手段１２によって生成できる受信データＲＤは、テスト制御手段１６によって受信でき、ユーザ受信データとしてトレーニングデータメモリ手段２５にトレーニングデータＥＤの成分として格納できる。さらに、それぞれの音声制御命令に対応するユーザ音声制御命令データと、それぞれの音声制御命令に対応するユーザ制御データが、テスト制御手段１６によってトレーニングデータＥＤの成分としてトレーニングデータメモリ手段２５に格納される。ユーザ受信データは、音声制御手段９をテストしている間、テスト制御手段１６によってトレーニングデータメモリ手段２５からトレーニングデータＥＤの成分として検索し、テスト情報データＴＩＤの成分としてテスト信号生成手段１７に出力できる。テスト信号生成手段１７は、ユーザ受信データに基づいて、第一テストオーディオ信号ＴＡＳ１を生成して音響受信手段１２に出力するか、または第一テストデータＴＤ１を生成して音声制御命令認識手段１４に出力するか、または第二テストオーディオ信号ＴＡＳ２を生成して第四装置部分５に出力するように設計されている。テスト制御手段１６は、さらに、次のことが達成されるように、第四装置部分５を制御するように設計されている。すなわち、第四装置部分５の制御の結果として、テスト信号を、出力音響信号ＳＡ（受信音響信号ＥＡを形成する）として、テスト手段１５によって音声制御手段９に送ることができる。音声制御手段９をテストしている間にテスト制御手段によって受信可能な第一結果データＲ１、第二結果データＲ２、または第四結果データＲ４は、比較手段１８に送ることができる。テスト制御手段１６は、さらに、比較情報データＣＩＤを比較手段８に出力するように、設計されていて、この比較情報データＣＩＤは、トレーニングデータＥＤによって、すなわち、ユーザ受信データ、ユーザ音声制御命令データ、またはユーザ制御データとして、トレーニングデータメモリ手段２５から検索できる。従って、テスト手段１５は、トレーニング可能な音声制御命令認識手段１４の機能を、トレーニングデータＥＤを利用してテストするように設計されている。
【００８０】
参照データメモリ手段２６は、参照データＮＤを格納するように設計されていて、この参照データＮＤは、その少なくとも一部が、元の音響信号によって生成され、元の音響信号は、装置１がユーザに納入される時点における音声制御命令認識手段１５によって認識できる音声制御命令を有する。これに関連して、参照データＮＤは、受信データＲＤから形成できる参照受信データを有する。参照データＮＤは、さらに、言葉で生成できる音声制御命令それぞれの参照音声制御命令データと参照制御データとを、有する。参照データＮＤは、さらに、言葉で生成できる各音声制御命令の参照音素データを、有する。テスト制御手段１６は、参照データＮＤの成分を形成する参照受信データにアクセスし、かつその参照受信データをテスト信号生成手段１７にテスト情報データＴＩＤの成分として出力するように、設計されている。これによって、音声制御手段９の機能をテストするためのテスト信号を、テスト信号生成手段１７によって生成できる。テスト制御手段１６は、さらに、参照データＮＤの成分を形成する参照音素データにアクセスし、その参照音素データを音声制御命令認識手段１４に出力するように、設計されている。この場合には、テストの間、参照音素データがユーザ音素データに置き換わる。テスト制御手段１６は、さらに、参照データＮＤまたは参照制御データの成分を形成する参照音声制御命令データにアクセスするように、設計されていて、このデータは、参照受信データと共に比較情報データＣＩＤとして比較手段１８に出力できる。従って、テスト手段１５は、音声制御命令認識手段１４の機能を参照データＮＤを利用してテストするように設計されている。
【００８１】
言及できる点として、音声制御手段９のテストの間、テスト制御手段１６によって生成可能な制御データＣＤを使用して、制御可能な装置部分２、３、４、または５の１つを制御することにより、光学的、磁気的、または電気的に書き込み可能なメモリ手段にトレーニングデータＥＤを格納したり、光学的、磁気的、または電気的に読み取り可能なメモリ手段から参照データＮＤを検索することもできる。
【００８２】
言及できる点として、テスト手段１５は、アンプとスピーカを有することもでき、従って、テスト手段１５は、装置１の装置部分２、３、４、または５とは独立して、受信音響信号ＥＡの形式において可聴テスト信号を生成するようにも設計できる。
【００８３】
言及できる点として、音響信号ＳＡを出力するためのスピーカを有さない装置１の場合には、例えば、音響テスト信号を生成するように設計されているテスト信号生成手段１７の構成要素が、テストスピーカが設けられているかまたはそのようなテストスピーカに接続可能であるテスト機器の構成要素であれば、音声制御手段の音響テストを実行できる。これに関連してさらに言及できる点として、装置１のテスト信号生成手段１７は、装置１の外部に配置されるテストスピーカに直接接続するように設計することもできる。
【図面の簡単な説明】
【図１】本発明の実施例の最初の例による装置を、ブロック線図の形式で線図的に表す。
【図２】本発明の実施例の２番目の例による装置を、ブロック線図の形式で線図的に表す。
【図３】本発明の実施例の３番目の例による装置を、ブロック線図の形式で線図的に表す。
【符号の説明】
１  装置
２、３、４、５  装置部分
６  手動制御手段
７  手動入力手段
８  手動制御命令処理手段
９  音声制御手段
１０  音声入力手段
１１  音声制御命令処理手段
１２  音響受信手段
１３  反響抑制手段
１４  音声制御命令認識手段
１５  テスト手段
１６  テスト制御手段
１７  テスト信号生成手段
１８  比較手段
１９  テストメモリ手段
２０  テスト情報メモリ手段
２１  比較情報メモリ手段
２２  テレビ受像機
２３  ネットワーク
２４  サービスユニット
２５  トレーニングデータメモリ手段
２６  参照データメモリ手段
ＳＡ、ＥＡ、Ａ２  音響信号
ＣＤ  制御データ
ＭＣＤ  手動制御命令データ
ＶＣＤ  音声制御命令データ
ＲＤ  受信データ
ＲＲＤ  無反響受信データ
ＺＳ１、ＺＳ２、ＺＳ３、ＺＳ４  状態制御信号
Ｒ１、Ｒ２、Ｒ３、Ｒ４  結果データ
ＴＩＤ  テスト情報データ
ＣＩＤ  比較情報データ
ＴＲＩ  テスト結果情報データ
ＡＳ  オーディオ信号
ＴＡＳ１、ＴＡＳ２  テストオーディオ信号
ＴＤ１、ＴＤ２、ＴＤ３  テストデータ
ＺＳ１、ＺＳ２、ＺＳ３、ＺＳ４  制御信号
ＴＶＳ  表示信号
ＥＤ  トレーニングデータ
ＮＤ  参照データ
【図１】
2004521392.tif 000003
【図２】
2004521392.tif 000004
【図３】
2004521392.tif 000005
【国際公開パンフレット】
2004521392.tif 000006
2004521392.tif 000007
2004521392.tif 000008
2004521392.tif 000009
2004521392.tif 000010
2004521392.tif 000011
2004521392.tif 000012
2004521392.tif 000013
2004521392.tif 000014
2004521392.tif 000015
2004521392.tif 000016
2004521392.tif 000017
2004521392.tif 000018
2004521392.tif 000019
2004521392.tif 000020
2004521392.tif 000021
2004521392.tif 000022
2004521392.tif 000023
2004521392.tif 000024
2004521392.tif 000025
2004521392.tif 000026
2004521392.tif 000027
2004521392.tif 000028
2004521392.tif 000029
2004521392.tif 000030
2004521392.tif 000031
2004521392.tif 000032
2004521392.tif 000033
2004521392.tif 000034
2004521392.tif 000035
2004521392.tif 000036
2004521392.tif 000037
2004521392.tif 000038
【国際調査報告】
2004521392.tif 000039
2004521392.tif 000040
2004521392.tif 000041